(57)【要約】【課題】  無断共架を防止することができる低コストの無断共架感知システムを提供すること。【解決手段】  電柱１１１，１１２…の各々に１つずつ人感センサ１２１，１２２…を取付けて、各電柱上での作業を感知できるようにする。人感センサ１２１，１２２…が各電柱上での作業を感知し、感知情報（電柱番号、感知時間、感知継続時間）を出力したら、その感知情報を各事業所の入出力端末１６１，１６２…に伝送して、各入出力端末１６１，１６２…のディスプレイ上に表示させる。感知情報中の電柱番号と同一電柱番号を有する工事情報がセンタ装置１４のデータベース１５に保存されている場合は、その工事情報を感知情報とともにディスプレイ上に表示させる。【選択図】      図１
2007004736.tif 000002
【特許請求の範囲】
【請求項１】
電柱に取付けられ、電柱上の作業を感知して感知情報を出力する人感センサと、
工事情報を入力する入力装置と、
情報を表示する表示装置と、
前記入力装置で入力された工事情報が供給され、工事情報を保存する保存部と、
前記人感センサで電柱上の作業が感知され、感知情報が出力されると、その感知情報が供給されて、該感知情報に関連する工事情報が前記保存部に保存されているかを判別する判別手段と、
この判別手段で前記工事情報が前記保存部に保存されていないと判別されると、前記感知情報を前記表示装置に供給して表示させ、前記工事情報が前記保存部に保存されていると判別されると、その工事情報および前記感知情報を前記表示装置に供給して表示させる手段と
を具備することを特徴とする無断共架感知システム。
【請求項２】
前記人感センサは、複数の電柱の各々に取付けられることを特徴とする請求項１に記載の無断共架感知システム。
【請求項３】
前記感知情報は、前記人感センサが取付けられた電柱の電柱番号を含み、この電柱番号を照合データとして感知情報に関連する工事情報が前記保存部に保存されているか判別することを特徴とする請求項１または２に記載の無断共架感知システム。
【請求項４】
前記感知情報は、前記電柱番号に加えて感知日時および感知継続時間を有することを特徴とする請求項１ないし３のいずれかに記載の無断共架感知システム。
【請求項５】
前記人感センサは、電柱上の作業を一定時間以上継続して感知すると感知情報を出力することを特徴とする請求項１ないし４のいずれかに記載の無断共架感知システム。
【発明の詳細な説明】
【技術分野】
【０００１】
本発明は、電柱に通信線等が無断で架設されることを防止する無断共架感知システムに関するものである。
【背景技術】
【０００２】
道路上等に立設される電柱は電力会社等の所有物であり、電線を架設して各家庭や工場に電気を供給するため等に使用されるが、その電柱の空きスペース部分を通信事業者等に貸し出して通信線等、共架線を電柱に架設すること（これを共架という）を許可している。その場合は、共架希望事業者から電柱所有者の各事業所へ申込みをしてもらい、共架承諾、契約締結の手続き後、事業者の工事実施、利用となり、電柱所有者は共架利用料を徴収している。
【０００３】
【特許文献１】特開２００３−６９７２４号公報
【特許文献２】特開２００３−３１７１６７号公報
【発明の開示】
【発明が解決しようとする課題】
【０００４】
しかし、上記のような通常の流れによらずに、無断で共架される場合がある。すると、利用料を徴収している事業者との間で公平性が保たれないから、電柱所有者としては、定期的に地域を巡回して無断での利用を調査し、設置者を特定し、無断共架線の撤去または正式契約交渉を行っているが、その作業が大変である。そこで、新たな無断利用を増加させないために、無断で共架線が取付けられないようなシステム作りが必要である。
なお、監視という点で特許文献１，２が挙げられ、特許文献１は、防犯のために玄関先の人体感知センサが検知したとき、室内の人が屋外を映像で監視することができ、このとき、報知音を出力させるかさせないかを選択できるものであるが、こうように映像で監視するシステムは高価である。また、特許文献２は、監視域を常時監視して得られる画像変化の有無を検知し、変化後の画像を通信網を介してユーザへ伝送し、ユーザが許可通知した場合に、変化後の画像が警察、警備会社等にダウンロードされるものであるが、やはり映像を使用するためシステムが高価になる。
【０００５】
本発明は上記の点に鑑みなされたもので、無断共架を防止することができる低コストの無断共架感知システムを提供することを目的とする。
【課題を解決するための手段】
【０００６】
本発明の無断共架感知システムは、電柱に取付けられ、電柱上の作業を感知して感知情報を出力する人感センサと、工事情報を入力する入力装置と、情報を表示する表示装置と、前記入力装置で入力された工事情報が供給され、工事情報を保存する保存部と、前記人感センサで電柱上の作業が感知され、感知情報が出力されると、その感知情報が供給されて、該感知情報に関連する工事情報が前記保存部に保存されているかを判別する判別手段と、この判別手段で前記工事情報が前記保存部に保存されていないと判別されると、前記感知情報を前記表示装置に供給して表示させ、前記工事情報が前記保存部に保存されていると判別されると、その工事情報および前記感知情報を前記表示装置に供給して表示させる手段とを具備することを特徴とする。
【０００７】
より具体的な形態として、前記人感センサは、複数の電柱の各々に取付けられる。また、前記感知情報は、前記人感センサが取付けられた電柱の電柱番号を含み、この電柱番号を照合データとして感知情報に関連する工事情報が前記保存部に保存されているか判別される。さらに、前記感知情報は、前記電柱番号に加えて感知日時および感知継続時間を有することができる。さらに、前記人感センサは、電柱上の作業を一定時間以上継続して感知すると感知情報を出力することが好ましい。
【発明の効果】
【０００８】
本発明の無断共架感知システムによれば、電柱上の作業を人感センサで感知して、感知情報を各事業所内などに設置される表示装置上に表示させるようにしたので、速やかに無断共架工事を発見して、新たな無断共架を無くすことができる。また、感知情報と関連する工事情報が保存部に保存されている場合は、感知情報とともに工事情報を表示装置に表示させるようにしたので、感知情報と工事情報との比較によって無断共架工事のみを正しく発見して、無断共架工事のみに対応することができ、監視者の省力化を図ることができる。さらに、感知情報と工事情報とを比較して日時等が一致すれば、電柱所有者自身の、または正規の共架申込者の工事が予定通り実施されていることを確認することができる。さらに、感知情報や工事情報は低コストで伝送できる文字情報ですみ、伝送線路としても電柱に架設されている既存の通信線や各事業所とセンタ装置間などに架設されている既存の通信線を利用できるので、低コストで構成し得る。
【発明を実施するための最良の形態】
【０００９】
次に添付図面を参照して本発明による無断共架感知システムの実施の形態を詳細に説明する。図１は本発明の無断共架感知システムの実施形態を示す構成図である。この図において、１１１，１１２…は道路上等に所定間隔に立設された複数の電柱であり、各々には１つずつ人感センサ１２１，１２２…が取付けられて、各電柱上での作業を感知できるようになっている。人感センサ１２１，１２２…は、人や動物から放射される熱線の量の変化を検知するセンサであり、各電柱上で人が作業しているとそれを感知することができる。人感センサ１２１，１２２…は、共架が行われる電柱の空きスペース部分（地上５〜６ｍ付近）より上に取付けて、空きスペース部分、およびそれより上の配電線架設部分での作業を感知できるようにする。このとき、道路上を往来する人の動きを感知する恐れがあるときは、そのようなことがないように人感センサ１２１，１２２…の感度、指向性を調整する。
【００１０】
また、人感センサ１２１，１２２…は出力に感知情報発生器を備えることにより、対応する電柱上で行われる作業の感知時、感知情報を出力できる。感知情報としては、図２に示すように、人感センサ１２１，１２２…が取付けられた電柱の電柱番号、感知日時、感知継続時間が出力される。出力された感知情報は、電柱１１１，１１２…に架設された既存の通信線１３を介して電柱所有者の本社内などに設置されたセンタ装置１４に伝送される。
【００１１】
一方、電柱所有者の各事業所内などには入力装置および表示装置として入出力端末１６１，１６２…が設けられる。この入出力端末１６１，１６２…はキーボードを有して工事情報を入力できる。工事情報としては、例えば図３に示すように、各工事毎に、自社分、第１共架申込者分などの工事名、施工者、連絡先、工事場所、工事日時、電柱番号、地上高、工事概要、その他が入力される。このようにして入力された工事情報は、入出力端末１６１，１６２…から通信線１７１，１７２…を介して前記センタ装置１４に伝送されて、センタ装置１４のデータベース１５に保存される。データベース１５には、例えば図４に示すように、電柱番号別に各工事情報（工事名、施工者、連絡先、工事場所、工事日時、電柱番号、地上高、工事概要、その他）が保存される。
【００１２】
センタ装置１４には、人感センサ１２１，１２２…が対応する電柱上の作業を感知したとき、前記のように感知情報が伝送される。このセンタ装置１４は判別手段を更に備えて、前記感知情報が伝送されたとき、その感知情報中の電柱番号を照合データとして同一電柱番号を有する工事情報がデータベース１５内に保存されているかを判別する。そして、もし、感知情報中の電柱番号に一致する電柱番号を有する工事情報がデータベース１５内に保存されていなければ、センタ装置１４内の伝送手段によって、工事情報「無」の情報とともに、伝送されてきた感知情報を通信線１７１，１７２…を介して入出力端末１６１，１６２…に伝送する。一方、感知情報中の電柱番号に一致する電柱番号を有する工事情報がデータベース１５内に保存されていれば、その工事情報を読出して、工事情報「有」の情報、および伝送されてきた感知情報とともに、読出した工事情報を通信線１７１，１７２…を介して入出力端末１６１，１６２…に伝送する。入出力端末１６１，１６２…はディスプレイを備えて、伝送されてきた情報を表示することができる。
【００１３】
このように構成された無断共架感知システムの動作を説明する。電柱所有者自身が実施する工事、正規の共架申込者が実施する工事については、工事情報（工事名、施工者、連絡先、工事場所、工事日時、電柱番号、地上高、工事概要、その他）が入出力端末１６１，１６２…により図３のように入力されて、センタ装置１４のデータベース１５に図４に示すように保存される。
【００１４】
しかる後、複数の電柱１１１，１１２…のうち例えば電柱１１１で作業が開始されたとする。すると、電柱１１１に取付けた人感センサ１２１が作業を感知して、感知情報（電柱１１１の電柱番号、感知日時、感知継続時間）を通信線１３を介してセンタ装置１４に伝送する。すると、センタ装置１４は、伝送されてきた感知情報中の電柱番号を照合データとして同一電柱番号を有する工事情報がデータベース１５内に保存されているかを判別する。そして、もし、感知情報中の電柱番号に一致する電柱番号を有する工事情報がデータベース１５内に保存されていなければ、工事情報「無」の情報とともに、伝送されてきた感知情報を通信線１７１，１７２…を介して各事業所内の入出力端末１６１，１６２…に伝送する。したがって、入出力端末１６１，１６２…のディスプレイ上には、図５に示すように、感知情報すなわち、作業を感知した電柱１１１の電柱番号、感知日時および感知継続時間（順次更新される）が表示され、さらに、工事情報「無」の情報が表示される。したがって、事業所内の監視者は、工事情報が「無」で工事予定が無いにも係わらず、感知情報によって電柱１１１で作業が行われていること、すなわち無断共架工事が行われていることを発見でき、直ちに電柱１１１が立設されている現地に出向いて、工事の中止または正式契約化を依頼することにより新たな無断共架を無くすことができる。
【００１５】
一方、センタ装置１４で判別した結果、感知情報中の電柱番号と一致する電柱番号を有する工事情報がデータベース１５内に保存されている場合は、センタ装置１４は、その工事情報を読出して、工事情報「有」の情報、および伝送されてきた感知情報とともに、読出した工事情報を通信線１７１，１７２…を介して各事業所内の入出力端末１６１，１６２…に伝送する。したがって、入出力端末１６１，１６２…のディスプレイ上には、図６に示すように、感知情報すなわち、作業を感知した電柱１１１の電柱番号、感知日時および感知継続時間（順次更新される）が表示され、さらに、工事情報「有」の情報と、工事名等の詳細な工事情報（ただし、データベース１５に記憶された工事場所や電柱番号は感知情報と重複するため省略される）が表示される。したがって、事業所内の監視者は、感知情報中の感知日時と工事情報中の工事日時とを比較して、違っていれば、図５の工事情報が表示されない場合と同様に工事予定が無いにも係わらず電柱１１１で作業が行われていること、すなわち無断共架工事が行われていることを発見でき、直ちに電柱１１１が立設されている現地に出向いて、工事の中止または正式契約化を依頼することにより新たな無断共架を無くすことができる。また、感知情報中の感知日時と工事情報中の工事日時とを比較して同一ならば、作業が感知された電柱１１１において正規の共架申込者が申込みどおりに工事を実施していること、あるいは電柱所有者自身が予定どおりに工事を実施していることを確認できる。
【００１６】
このように、上記の無断共架感知システムによれば、電柱１１１，１１２…上の作業を人感センサ１２１，１２２…で感知して、感知情報を各事業所内などに設置された入出力端末１６１，１６２…のディスプレイ上に表示させるようにしたので、速やかに無断共架工事を発見して、新たな無断共架を無くすことができる。また、感知情報中の電柱番号と同一電柱番号の工事情報がセンタ装置１４のデータベース１５に保存されている場合は、感知情報とともに工事情報を入出力端末１６１，１６２…のディスプレイ上に表示させるようにしたので、感知情報と工事情報との比較によって無断共架工事のみを正しく発見して、無断共架工事のみに対応することができ、監視者の省力化を図ることができる。さらに、感知情報と工事情報とを比較して日時が一致すれば、電柱所有者自身の、または正規の共架申込者の工事が予定通り実施されていることを確認することができる。さらに、感知情報や工事情報は低コストで伝送できる文字情報ですみ、伝送線路としても電柱１１１，１１２…に架設されている既存の通信線１３や各事業所とセンタ装置１４間に架設されている既存の通信線１７１，１７２…を利用できるので、低コストで構成し得る。
【００１７】
なお、ノイズを人感センサ１２１，１２２…が感知して感知情報がディスプレイ上に表示されないように、作業を一定時間（例えば数分）以上継続して人感センサ１２１，１２２…が感知すると感知情報を出力して、感知情報が入出力端末１６１，１６２…のディスプレイ上に表示されるようにしてもよい。
【図面の簡単な説明】
【００１８】
【図１】本発明による無断共架感知システムの実施の形態を示す構成図。
【図２】感知情報の一例を示す図。
【図３】入出力端末により入力される工事情報の一例を示す図。
【図４】センタ装置のデータデースに保存された工事情報の一例を示す図。
【図５】入出力端末のディスプレイ上の表示状態を示す図。
【図６】入出力端末のディスプレイ上の他の表示状態を示す図。
【符号の説明】
【００１９】
１１１，１１２…  電柱
１２１，１２２…  人感センサ
１３  通信線
１４  センタ装置
１５  データベース
１６１，１６２…  入出力端末
１７１，１７２…  通信線
【図１】
2007004736.tif 000003
【図２】
2007004736.tif 000004
【図３】
2007004736.tif 000005
【図４】
2007004736.tif 000006
【図５】
2007004736.tif 000007
【図６】
2007004736.tif 000008